(57)【要約】【課題】手差しトレイの回動時にガイド部材を移動させる連結部材に緩衝部材の弾性力を作用させ、手差しトレイを格納位置から露出位置に回動させる際の衝撃音の発生や支持部の破損を防止する。【解決手段】本体２００の内部にコイルスプリング２１２を備えた。コイルスプリング２１２の一方の端部２１２Ａを本体２００の底面の係止部２２４に係止し、他方の端部２１２Ｂをピン２１４に係止した。ピン２１４は、連結部材２０４の第２の端部２０４から突出し、本体２００の底面の長孔２１４を貫通して伝達機構２２０に軸支される。連結部材２０４の第２の端部２０４Ｂには、手差しトレイ１１の露出位置への移動時の移動方向と反対方向にコイルスプリング２１２，２１３の弾性力が作用する。【選択図】図４
2008024396.tif 000002
【特許請求の範囲】
【請求項１】
処理装置に給紙すべき用紙を収納する載置面を備え、前記処理装置の側壁に一端側の支点部を中心に前記載置面が前記側壁に対向する格納位置と前記載置面が略水平となる露出位置との間に回動自在に装着された本体と、
前記載置面の法線方向に露出して前記載置面における用紙の収納位置を規定するガイド部材であって、前記載置面上を用紙の給紙方向に沿って移動自在にして前記本体に支持されたガイド部材と、
前記本体の前記露出位置から前記格納位置への回動に伴って前記ガイド部材を前記給紙方向に沿って前記支点部に近接する位置から離間する位置に移動させる連結部材であって、第１の端部が前記処理装置に軸支され、第２の端部が前記本体内で回動自在かつ前記給紙方向に移動自在にされるとともに前記ガイド部材に回動自在に係合する連結部材と、
前記移動部材の第２の端部を、前記本体の支点から離間する方向に付勢する緩衝部材と、を備えた手差しトレイ。
【請求項２】
前記緩衝部材は、一端を前記本体に係止し、他端を前記第２の端部に係止したコイルスプリングである請求項１に記載の手差しトレイ。
【請求項３】
前記緩衝部材は、一端を前記本体に係止し、他端を前記ガイド部材に係止したコイルスプリングである請求項１に記載の手差しトレイ。
【請求項４】
請求項１〜３の何れかに記載の手差しトレイを側壁に装着し、前記手差しトレイから給紙された用紙に画像形成処理を行う画像形成装置。
【発明の詳細な説明】
【技術分野】
【０００１】
この発明は、用紙に対する処理を行う処理装置に給紙すべき用紙を収納する手差しトレイ、及び、この手差しトレイから給紙された用紙に対する画像形成処理を行う画像形成装置に関する。
【背景技術】
【０００２】
画像形成装置のように用紙に対する処理を行う処理装置に対して用紙を給紙する手法として、処理装置内の給紙部に配置された給紙カセットから給紙する手法と、処理装置の側壁に装着された手差しトレイから給紙する手法と、がある。
【０００３】
給紙カセットは、サイズが同一の複数枚の用紙を収納する。給紙カセットは、収納する用紙のサイズを固定して使用される場合が多い。一般に、給紙カセットには、処理装置で処理される頻度の高い用紙、例えばＡ３、Ａ４、Ｂ４、Ｂ５等の定形サイズの普通紙が収納される。
【０００４】
手差しトレイは、処理装置で処理される頻度の低い用紙、例えば葉書、封筒、厚紙等の種々の用紙の給紙に使用される。手差しトレイの載置面には、給紙方向に直交する方向の用紙の収納位置を規定するガイド部材が備えられている。ガイド部材は、手差しトレイの載置面上で用紙の給紙方向に平行な２側面のそれぞれに当接する。ガイド部材は、用紙サイズの変更に対応できるように給紙方向に直交する方向に移動する。
【０００５】
手差しトレイは、選択的に使用される。不使用時の処理装置の省スペース化を図るため、手差しトレイは処理装置の側壁に一端側を支点にして露出位置と格納位置との間に揺動自在に装着されている。手差しトレイの載置面は、露出位置で略水平となり、格納位置で処理装置の側壁に略平行となる。（例えば、特許文献１参照。）。
【０００６】
手差しトレイの載置面には、ガイド部材が載置面の法線方向に延出している。手差しトレイが格納位置にある時にガイド部材と処理装置の側壁との干渉を避けるため、側壁のガイド部材が対向する部分には内側に突出する凹部が形成されている。
【０００７】
ガイド部材は、手差しトレイに葉書等の給紙方向の長さの短い用紙を収納する場合を考慮して、手差しトレイが露出位置にある時に、載置面上で手差しトレイの支点側の端部に近づけておく必要がある。このため、ガイド部材は、手差しトレイが格納位置にある時に、側壁の手差しトレイが装着されている位置の直ぐ上に対向する。したがって、凹部も、側壁の手差しトレイが装着されている位置の直ぐ上に形成される。
【０００８】
一方、処理装置の内部には、手差しトレイに収納された用紙を処理装置内に導くためにピックアップローラ、用紙サバキローラ、搬送ローラ等の搬送用部品が配置されている。これらの搬送用部品のうち少なくともピックアップローラは、手差しトレイに収納されている用紙の上面に対向しなければならず、手差しトレイの載置面における支点側の端部に近接して配置される。これらの搬送用部品と凹部との干渉を避けるためには、側壁を搬送用部品から十分に離間させなければならず、処理装置が大型化する。
【０００９】
そこで、手差しトレイが露出位置と格納位置との間で回動するのに伴って、ガイド部材を手差しトレイの載置面上の搬送方向に平行な軸に沿って移動させることが考えられる。このため、手差しトレイに連結部材が備えられている。連結部材は、手差しトレイが露出位置にある時にガイド部材を手差しトレイの支点側の端部に近接させ、手差しトレイが格納位置にある時にガイド部材を手差しトレイの支点側の端部から離間させる。連結部材は、露出位置にある手差しトレイの支持部材としても機能する。
【００１０】
連結部材は、第１の端部が処理装置に軸支され、第２の端部が手差しトレイ内で載置面に沿って移動自在に支持される。連結部材の第２の端部は、ガイド部材の一部に回転自在に係合させる。手差しトレイを格納位置と露出位置との間で回動させると、連結部材が第１の端部を支点に回転し，手差しトレイ内で連結部材の第２の端部の位置が給紙方向の前後に移動する。連結部材の第２の端部は、手差しトレイが露出位置にある時には手差しトレイの支点側の端部に近接し、手差しトレイが格納位置にある時には手差しトレイの支点側の端部から離間する。
【００１１】
ガイド部材は、連結部材の第２の端部の移動に伴って手差しトレイの載置面上を移動する。ガイド部材は、手差しトレイが露出位置にある時には、手差しトレイの支点側の端部に近接する。手差しトレイに収納された用紙の前端は、用紙サイズに拘らず手差しトレイの支点側の端部に近接した一定の位置にある。手差しトレイが露出位置にある時には、ガイド部材は用紙の給紙方向に直交する方向の位置を用紙サイズに拘らず規定する。ガイド部材は、手差しトレイが格納位置にある時には手差しトレイの支点側の端部から離間し、処理装置内の搬送用部品の配置位置よりも上方で側壁に対向する。搬送用部品を側壁に接近させて配置しても、ガイド部材を収納する凹部が搬送用部品と干渉することがない。
【特許文献１】特開２００３−２９５７３３号公報
【発明の開示】
【発明が解決しようとする課題】
【００１２】
手差しトレイの回動に伴ってガイド部材を移動させる連結部材を、露出位置にある手差しトレイの支持部材としても機能させると、手差しトレイ及び用紙の重量が連結部材の第１及び第２の端部に作用する。手差しトレイ及び用紙の重量は、連結部材に長手方向の引張力として作用する。処理装置における第１の端部の支持部は、比較的スペースに余裕がある。このため、連結部材及び処理装置の支持部には、十分な強度を与えることができる。
【００１３】
しかし、手差しトレイ内で連結部材の第２の端部を支持する支持部には、大きなスペースを確保することができず、十分な強度を与えることができない。このため、格納位置から露出位置への回動が繰り返されることにより、手差しトレイ及び用紙の重量によって手差しトレイ内の支持部が破損する問題がある。また、手差しトレイに過剰な操作力が作用した場合にも同様の問題が生じ、支持部の破損に至らなくとも大きな衝撃音が発生する問題がある。
【００１４】
この発明の目的は、手差しトレイの回動時にガイド部材を移動させる連結部材に緩衝部材の弾性力を作用させることにより、手差しトレイを格納位置から露出位置に回動させる際の衝撃音の発生や支持部の破損を防止できる手差しトレイを提供することにある。
【課題を解決するための手段】
【００１５】
この発明は、本体、ガイド部材、連結部材、緩衝部材を備えている。本体は、処理装置に給紙すべき用紙を収納する載置面を備え、処理装置の側壁に一端側の支点部を中心に載置面が側壁に対向する格納位置と載置面が略水平となる露出位置との間に回動自在に装着されている。ガイド部材は、載置面の法線方向に露出して載置面における用紙の収納位置を規定し、載置面上を用紙の給紙方向に沿って移動自在にして本体に支持されている。連結部材は、本体の露出位置から格納位置への回動に伴ってガイド部材を給紙方向に沿って支点部に近接する位置から離間する位置に移動させ、第１の端部が処理装置に軸支され、第２の端部が本体内で回動自在かつ給紙方向に移動自在にされるとともにガイド部材に回動自在に係合する。緩衝部材は、移動部材の第２の端部を、支点部から離間する方向に付勢する。
【００１６】
本体を格納位置と露出位置との間に回動させると、連結部材が第１の端部を中心にして回転し、第２の端部が本体内でガイド部材とともに給紙方向に沿って移動する。本体を格納位置から露出位置に回動させた際に、連結部材の第２の端部は本体の支点部に向かって移動する。このとき、連結部材の第２の端部には緩衝部材の弾性力が移動方向と反対方向に作用し、第２の端部の支持部に向かう移動が減速される。第２の端部が終端に達した時の衝撃が緩和される。
【００１７】
緩衝部材としては、コイルスプリングを用いることができる。コイルスプリングの一端を本体に係止し、他端を第２の端部又はガイド部材に係止する。
【発明の効果】
【００１８】
この発明によれば、連結部材の第２の端部に緩衝部材の弾性力を本体の支点部から離間する方向に作用させることにより、本体を格納位置から露出位置に回動させた際の連結部材の第２の端部の支持部に向かう移動を減速し、第２の端部が終端に達した時の衝撃を緩和することができる。これによって、手差しトレイの本体を格納位置から露出位置に回動させる際の衝撃音の発生や支持部の破損を防止できる。
【発明を実施するための最良の形態】
【００１９】
以下に、この発明の実施形態を、図面を参照して詳細に説明する。
【００２０】
図１は、この発明の実施形態に係る手差し給紙機構を備えた処理装置としての画像形成装置１００の概略の構成を示す図である。画像形成装置１００は、外部から供給されたブラック、シアン、マゼンタ、イエローの各色の画像データに基づく電子写真方式の画像形成処理により、用紙に単色又は多色の画像を形成する。
【００２１】
画像形成装置１００は、露光ユニット１、現像器２Ａ〜２Ｄ、感光体ドラム３Ａ〜３Ｄ、帯電器４Ａ〜４Ｄ、転写器５Ａ〜５Ｄ、クリーナユニット６Ａ〜６Ｄ、中間転写ベルト７、主転写器８、定着ユニット９、用紙カセット１０、手差しトレイ１１及び排紙トレイ１２を備えている。
【００２２】
感光体ドラム３Ａ〜３Ｄのそれぞれには、ブラック、シアン、マゼンタ、イエローのトナー像が形成される。感光体ドラム３Ａ〜３Ｄに形成されたトナー像は、中間転写ベルト７に転写された後、主転写器８によって用紙に転写される。
【００２３】
露光ユニット１は、各色の画像データに基づく画像光を感光体ドラム３Ａ〜３Ｄのそれぞれに個別に照射する。帯電器４Ａ〜４Ｄは、画像光が照射される前の感光体ドラム３Ａ〜３Ｄの表面を均一に帯電させる。画像光の照射によって感光体ドラム３Ａ〜３Ｄの表面には、静電潜像が形成される。
【００２４】
現像器２Ａ〜２Ｄは、それぞれブラック、シアン、マゼンタ、イエローのトナーを収納している。感光体ドラム３Ａ〜３Ｄの表面に形成された静電潜像は、現像器２Ａ〜２Ｄのそれぞれから供給される各色のトナーによって、それぞれブラック、シアン、マゼンタ、イエローのトナー像に顕像化される。転写器５Ａ〜５Ｄは、感光体ドラム３Ａ〜３Ｄの表面に形成されたトナー像を中間転写ベルト７の表面に転写する。
【００２５】
画像形成装置１００の内部には、用紙カセット１０及び手差しトレイ１１から、中間転写ベルト７と主転写器８とが対向する主転写位置２０、及び、定着ユニット９の内部を経由して排紙トレイ１２に至る間に、用紙搬送路１７が形成されている。用紙搬送路１７には、給紙ローラ１３、給紙ユニット１４、レジストローラ１５及び排紙ローラ１６を含む複数のローラが配置されている。また、画像形成装置１００の内部には、正逆両方向に回転する排紙ローラ１６から用紙搬送路１７におけるレジストローラ１５の上流側に至る間に用紙反転搬送路１８が形成されている。
【００２６】
主転写器８は、用紙搬送路１７又は用紙反転搬送路１８を経由して搬送された用紙に、中間転写ベルト７からトナー像を転写する。定着ユニット９は、内部に加熱ローラ９Ａ及び加圧ローラ９Ｂを備えている。主転写位置２０を通過した用紙は、加熱ローラ９Ａと加圧ローラ９Ｂとの間を通過し、加熱及び加圧される。用紙上のトナー像は、溶融した後に用紙の表面に画像として定着する。
【００２７】
定着ユニット９を通過した用紙は、排紙ローラ１６の正転によって排紙トレイ１２に排出される。但し、両面画像形成時には、排紙ローラ１６は、片面画像形成済の用紙の後端部を挟持した状態で逆転する。これによって、片面画像形成済の用紙は、用紙反転搬送路１８内に導かれ、表裏面を反転した状態で主転写位置２０に搬送される。両面に画像が形成された用紙は、排紙ローラ１６の正転によって排紙トレイ１２に排出される。
【００２８】
用紙カセット１０は、サイズ及び種類が同一である複数枚の用紙を収納する。用紙カセット１０には、画像形成装置１００において使用頻度の高い用紙（例えば、Ａ４サイズの普通紙）が収納される。用紙カセット１０は、画像形成装置１００の内部に挿脱自在にされている。用紙カセット１０に用紙を補給する際には、用紙カセット１０は画像形成装置１００から引き出される。
【００２９】
手差しトレイ１１は、用紙カセット１０に収納されている用紙と異なるサイズ又は種類の用紙の給紙に用いられる。したがって、手差しトレイ１１には、種々のサイズの用紙が載置される。手差しトレイ１１は一端部１１Ｂが画像形成装置１００の一方の側壁１０１に軸支されている。手差しトレイ１１は、載置板１１Ａの上面（載置面）が側壁１０１に対向する格納位置と載置板１１Ａの上面が略水平になる露出位置との間に回動自在にされている。手差しトレイ１１の一端部１１Ｂは、手差しトレイ１１が露出位置にあるときに載置板１１Ａの上面が、給紙ユニット１４に連続する高さ位置に配置されている。
【００３０】
給紙ユニット１４は、手差しトレイ１１の載置板１１Ａ上に収納された用紙を用紙搬送路７に導く。
【００３１】
図２は、上記手差しトレイ１１の外観図である。手差しトレイ１１は、本体２００、ガイド部材２０１，２０２、連結部材２０３，２０４、支点部２０５，２０６を備えている。本体２００は、薄型の筐体であり、載置板１１Ａ上に用紙を収納する。載置板１１Ａ上に収納された用紙は、Ｘ軸に沿って画像形成装置１００内に給紙される。Ｘ軸は、載置板１１Ａ内で用紙の給紙方向に平行な軸である。
【００３２】
ガイド部材２０１，２０２は、載置板１１Ａの法線方向に延出しており、Ｘ軸に直交するＹ軸に沿って所定の範囲内で移動自在にされている。２個のガイド部材２０１，２０２は、載置板１１Ａの上面に載置された用紙のＸ軸に平行な２辺のそれぞれに当接し、載置板１１Ａ上における用紙のＹ軸に沿う方向の収納位置を規定する。２個のガイド部材２０１，２０２は、伝達機構２２０（図２には現れない。）により、矢印Ｙ方向において互いに反対方向に移動する。
【００３３】
支点部２０５，２０６は、本体２００の一方の端部１１Ｂに形成されている。手差しトレイ１１は、支点部２０５，２０６で回動自在にして画像形成装置１００の側壁１０１に装着されている。
【００３４】
連結部材２０３，２０４は、載置板１１ＡにおけるＹ軸方向の両端部から斜め上方に延出している。連結部材２０３，２０４の第１の端部２０３Ａ，２０４Ａは、画像形成装置１００の側壁１０１において支点部２０５，２０６の上方に位置する軸２０７，２０８（図４及び５参照。）に軸支されている。連結部材２０３，２０４の第２の端部２０３Ｂ，２０４Ｂ（図２には現れない。）は、本体２００の内部においてガイド部材２０１，２０２の伝達機構２２０に軸支されている。
【００３５】
ガイド部材２０１及び２０２のそれぞれには、伝達機構２２０内に収納されたＹ軸に平行なラックギアが形成されている。伝達機構２２０のＹ軸方向の中央部には、ピニオンギアが回転自在に支持されている。ガイド部材２０１のラックギアとガイド部材２０２のラックギアとは、ピニオンギアを挟んで互いに対向して配置されており、ともにピニオンギアに噛合している。
【００３６】
ガイド部材２０１がＹ軸方向の一方に移動すると、ガイド部材２０１のラックギアとの噛合によってピニオンギアが回転する。ピニオンギアの歯部の移動方向は、ガイド部材２０１のラックギアに噛合する位置とガイド部材２０２のラックギアに噛合する位置とで逆方向となる。ピニオンギアの回転によってガイド部材２０２のラックギアはガイド部材２０１の移動方向とは逆方向に同じ長さだけ移動する。
【００３７】
Ｙ軸に沿ってガイド部材２０１とガイド部材２０２とが互いに逆方向に同じ長さだけ移動することから、ガイド部材２０１とガイド部材２０２との中間位置は変化しない。したがって、用紙は、サイズに拘らずＹ軸方向の中心位置を一定にして、載置板１１Ａ上に収納される。
【００３８】
図３は、手差しトレイ１１の内部構造を示す斜視図である。本体２００の内部には、延長トレイ１１Ｄ、コイルスプリング２１１，２１２が備えられている。本体２００の内部の底面には、長孔２２１，２２２、係止部２２３，２２４が形成されている。
【００３９】
延長トレイ１１Ｄは、本体２００内に収納された位置と端部１１Ｃから一部が露出する位置との間でＸ軸に沿って移動自在にされている。端部１１Ｃは、支点部２０５，２０６が設けられている端部１１Ｂと平行な反対側の端部である。
【００４０】
延長トレイ１１Ｄには、センサ２３１，２３２が設けられている。センサ２３１，２３２は、載置面１１Ａに載置された用紙のサイズを検出する。センサ２３１，２３２は、ケーブル２３３を介して画像形成装置１００の制御部に接続されている。
【００４１】
ケーブル２３３の一部は、チューブ２３４内を貫通している。チューブ２３４は、長手方向をＸ軸に平行にして本体２００の底面のガイド部材２０１，２０２の移動範囲内に固定されている。ガイド部材２０１，２０２は、ケーブル２３３に緩衝することなく移動する。
【００４２】
コイルスプリング２１１，２１２は、この発明の緩衝部材である。コイルスプリング２１１，２１２は、伸縮方向をＸ軸に平行にして配置されている。コイルスプリング２１１，２１２は、一方の端部２１１Ａ，２１２Ａを係止部２２３，２２４に係止し、他方の端部２１１Ｂ，２１２Ｂをピン２１３，２１４に係止している。ピン２１３，２１４は、連結部材２０３，２０４の第２の端部２０３Ｂ，２０４Ｂから突出している。連結部材２０３，２０４の端部２０３Ｂ，２０４Ｂは、コイルスプリング２１１，２１２の弾性力により、Ｘ軸に沿って支点部２０５，２０６から離間する方向に付勢されている。
【００４３】
コイルスプリング２１１，２１２は、本体２００内で延長トレイ１１Ｄ、ガイド部材２０１，２０２、伝達機構２２０、連結部材２０３，２０４の移動範囲外に配置される。
【００４４】
ピン２１３，２１４は、それぞれ長孔２２１，２２２を貫通している。長孔２２１，２２２は、本体２００の底面のＸ軸に平行なリブに形成されている。連結部材２０３，２０４の第２の端部２０３Ｂ，２０４Ｂは、ピン２１３，２１４を介して長孔２２１，２２２に支持される。
【００４５】
図４及び図５は手差しトレイ１１の回動状態を示す断面図であり、図４は手差しトレイ１１が露出位置にある状態を示し、図５は手差しトレイ１１が格納位置にある状態を示している。図４及び図５では、手差しトレイ１１の前面側について説明するが、背面側においても同様である。
【００４６】
画像形成装置１００の側壁１０１において、手差しトレイ１１は、一端部１１Ｂに形成されている支点部２０６を中心に、露出位置と格納位置との間において回動自在にされている。前述のように、手差しトレイ１１の本体２００には、長孔２２２が形成されている。また、本体２００には、長孔２２２の上方に長孔２２５，２２６（背面側の長孔２２５は図示されない。）が、Ｘ軸に平行にして形成されている。
【００４７】
長孔２２２を貫通するピン２１４は、ガイド部材２０２の下方で本体２００内に配置された移動機構２２０に回転自在に支持されている。移動機構２２０は、上面にガイド部材２０１，２０２を保持している。移動機構２２０には、突起２４１，２４２（背面側の突起２４１は図示されない。）が形成されている。突起２４２は、長孔２２６に嵌入している。
【００４８】
図４に示すように、手差しトレイ１１が露出位置にある時には、ピン２１４及び突起２４２は、長孔２２２及び長孔２２６内の支点部２０６側の端部に近接している。
【００４９】
側壁１０１の支点部２０６が支持されている位置よりも上方には、軸２０７，２０８（背面側の軸２０７は図示されない。）が配置されている。連結部材２０４の第１の端部２０４Ａは、軸２０８に軸支されている。
【００５０】
手差しトレイ１１を支点部２０６を中心に図４に示す露出位置から図５に示す格納位置に回動させると、連結部材２０４が軸２０８を中心に回転する。この時、連結部材２０４の第２の端部２０４Ｂの回転中心は本体２００に形成されている長孔２２２の回転中心と一致しないため、ピン２１４の軌跡は長孔２０８の軌跡に一致しない。ピン２１４は、長孔２２２内を支点部２０６から離間する方向に移動する。
【００５１】
ピン２１４が移動機構２２０に軸支されていること、及び、移動機構２２０に形成された突起２４２が長孔２２２に平行な長孔２２６に嵌入していることから、移動機構２２０もガイド部材２０２とともに長孔２２２及び長孔２２６の長手方向に沿って本体２００内を支点部２０６から離間する方向に移動する。
【００５２】
側壁１０１には、ガイド部材２０２を収納する凹部１０１Ａが形成されている。手差しトレイ１１の載置面１１Ａは、格納位置で側壁１０１に近接して対向する。
【００５３】
手差しトレイ１１の回動に伴う連結部材２０４の回転により、ガイド部材２０２が支点部２０６から上方に離間する。凹部１０１Ａを、側壁１０１で支点部２０６から十分に離間した位置に形成することができる。画像形成装置１００の内部で給紙ユニット１４等の部品を側壁１０１に近接して配置しても、凹部１０１Ａが部品に干渉することがなく、画像形成装置１００の大型化が防止される。
【００５４】
手差しトレイ１１が図４に示す露出位置にある状態で、ピン２１４は、コイルスプリング２１２の弾性力により、支点部２０６から離間する方向に付勢されている。
【００５５】
図５に示す格納位置にある手差しトレイ１１を図４に示す露出位置に回動させる際には、コイルスプリング２１２の弾性力に抗して手差しトレイ１１に下向きの操作力を作用させることになる。手差しトレイ１１Ａが露出位置に達した時に、コイルスプリング２１２は最も伸張し、コイルスプリング２１２の弾性力が最大になる。
【００５６】
手差しトレイ１１を格納位置から露出位置へ回動させる際の長孔２２２の支点部２０６側の端部へのピン２１４の移動力が、コイルスプリング２１２の弾性力によって緩和される。手差しトレイ１１を格納位置から露出位置へ回動させる際に過剰な操作力が作用した場合にも、長孔２２２の端部とピン２１４との当接によって大きな衝撃音が発生したり、長孔２２２に破損を生じることがない。また、手差しトレイ１１の回動操作の繰り返しにも支障を来たすことがない。
【００５７】
コイルスプリング２１１及びコイルスプリング２１２が発生する最大の弾性力の和は、露出位置にある手差しトレイ１１を格納位置に移動させない程度にされている。
【００５８】
なお、手差しトレイ１１の露出位置と格納位置との間の回動に伴って、ガイド部材２０２及び移動機構２２０も連結部材２０４の第２の端部２０４Ｂと一体的に移動する。したがって、コイルスプリング２１２の端部２１２Ｂをガイド部材２０２又は移動機構２２０に係止してもよい。
【００５９】
また、上記の実施形態ではこの発明の手差しトレイ１１を用紙に対する画像形成処理を行う画像形成装置１００に適用した場合を例に挙げて説明したが、この発明の手差しトレイを用紙に対して他の処理を行う処理装置にも同様に適用することができる。
【図面の簡単な説明】
【００６０】
【図１】この発明の実施形態に係る手差しトレイを備えた処理装置としての画像形成装置１００の概略の構成を示す図である。
【図２】手差しトレイ１１の外観図である。
【図３】手差しトレイ１１の内部構造を示す斜視図である。
【図４】露出位置における手差しトレイ１１の内部構造及び移動状態を説明する断面図である。
【図５】格納位置における手差しトレイ１１の内部構造及び移動状態を説明する断面図である。
【符号の説明】
【００６１】
１１  手差しトレイ
１１Ａ  載置板
１４  給紙ユニット
１００  画像形成装置
１０１  側壁
１０１Ａ  凹部
２０１，２０２  ガイド部材
２０３，２０４  連結部材
２０３Ａ，２０４Ａ  第１の端部
２０３Ｂ，２０４Ｂ  第２の端部
２０５，２０６  支点部
２１１，２１２  コイルスプリング（緩衝部材）
【図１】
2008024396.tif 000003
【図２】
2008024396.tif 000004
【図３】
2008024396.tif 000005
【図４】
2008024396.tif 000006
【図５】
2008024396.tif 000007